(57)【要約】【課題】  映像放送を選局した際にどの音声を出力するかをユーザが予め設定する手段を有することで、映像放送を選局する毎に煩雑な操作をすることなくユーザが所望する映像放送と音声放送の２つの情報を得ることができる映像放送／音声放送受信装置を提供する。【解決手段】  映像放送を選局し映像放送の映像と音声を出力する映像放送信号受信処理部１と、音声放送を選局し音声放送の音声を出力する音声放送信号受信処理部２と、選局した映像放送の映像からなる映像出力８に対応した音声出力１５とする音声として、選局した前記映像放送の音声及び選局可能な音声放送の音声の中から選択する設定をユーザが操作して行うための手段１６と、ユーザの設定を記憶する手段１８と、記憶されたユーザの設定に従って映像放送信号受信処理部１から出力する映像放送の音声又は音声放送信号受信処理部２で選局して出力する音声放送の音声を選択して音声出力とする手段１３とを備える映像放送／音声放送受信装置。【選択図】      図１
2006005521.tif 000002
【特許請求の範囲】
【請求項１】
映像放送を選局し該映像放送の映像と音声を出力する映像放送信号受信処理部と、音声放送を選局し該音声放送の音声を出力する音声放送信号受信処理部と、選局した映像放送の映像からなる映像出力に対応した音声出力とする音声として、選局した前記映像放送の音声及び選局可能な音声放送の音声の中から選択する設定をユーザが操作して行うための手段と、該ユーザの設定を記憶する手段と、記憶されたユーザの設定に従って前記映像放送信号受信処理部から出力する前記映像放送の音声又は前記音声放送信号受信処理部で選局して出力する音声放送の音声を選択して音声出力とする手段とを備えることを特徴とする映像放送／音声放送受信装置。
【請求項２】
映像放送を選局し該映像放送の映像と音声を出力する映像放送信号受信処理部と、音声放送を選局し該音声放送の音声を出力する音声放送信号受信処理部と、選局した音声放送の音声からなる音声出力に対応した映像出力とする映像として、選局可能な映像放送の映像の中から選択する設定をユーザが操作して行うための手段と、該ユーザの設定を記憶する手段とを備え、記憶された前記ユーザの設定に従って映像放送を選局して該映像放送の映像を映像出力することを特徴とする映像放送／音声放送受信装置。
【請求項３】
請求項１又は２に記載の映像放送／音声放送受信装置において、
上記映像放送のＥＰＧの内容を解析してキーワードを抽出する手段と、上記音声放送のＥＰＧの内容を解析してキーワードを抽出する手段と、抽出したキーワードを番組毎に記憶する手段と、記憶された映像放送番組と音声放送番組のキーワードを比較し映像放送番組又は音声放送番組に類似した音声放送番組又は映像放送番組を検索する手段とを備えることを特徴とする映像放送／音声放送受信装置。
【請求項４】
請求項３に記載の映像放送／音声放送受信装置において、
映像放送番組と同時刻に放送される音声放送番組の中で最も類似していると判定された番組を記憶する手段と、前記映像放送番組選局時に、最も類似していると判定された前記音声放送番組の音声を音声出力するか否かの設定をユーザが操作して行うための手段と、該ユーザの設定を記憶する手段と、記憶された前記ユーザの設定に従って前記音声放送番組の音声を音声出力し又は音声出力しないよう制御する手段とを備えることを特徴とする映像放送／音声放送受信装置。
【請求項５】
請求項３に記載の映像放送／音声放送受信装置において、
音声放送番組と同時刻に放送される映像放送番組の中で最も類似していると判定された番組を記憶する手段と、前記音声放送番組選局時に、最も類似している判定された前記映像放送番組の映像を映像出力するか否かの設定をユーザが操作して行うための手段と、該ユーザの設定を記憶する手段と、記憶された前記ユーザの設定に従って前記映像放送番組の映像を映像出力し又は映像出力しないよう制御する手段とを備えることを特徴とする映像放送／音声放送受信装置。
【発明の詳細な説明】
【技術分野】
【０００１】
本発明は、映像放送／音声放送受信装置であり、特に映像放送受信機能と音声放送受信機能とを共に備え、それらの放送を組合わせて受信することができる装置に関するものである。
【背景技術】
【０００２】
従来、テレビ放送を受信して映像／音声を出力する機能とラジオ放送を受信して音声を出力する機能とを併せ持つ装置が知られていたが、テレビ放送を受信すると映像・音声ともにテレビ放送のものが出力されていた。また、映像はテレビ放送、音声はラジオ放送というように別のソースから情報を得る場合のために、テレビ放送受信中に出力する音声をテレビ放送の音声かラジオ放送の音声かを切り替えることが可能なテレビ／ラジオ受信装置が提案されている（特許文献１、２参照）。
【特許文献１】特開２００１−２５７９６５号公報
【特許文献２】特開２００２−４４５６１号公報
【特許文献３】特開２００４−６２６３９号公報
【発明の開示】
【発明が解決しようとする課題】
【０００３】
従来、映像はテレビ放送、音声はラジオ放送というように別のソースから情報を得る場合には、ユーザがその都度映像放送のチャンネルと音声放送のチャンネルを別々に選局する操作を行う必要があった。
【０００４】
本発明では、映像放送を選局した際にどの音声を出力するかをユーザが予め設定する手段を有することで、映像放送を選局する毎に煩雑な操作をすることなくユーザが所望する映像放送と音声放送の２つの情報を得ることができる映像放送／音声放送受信装置を提供することが目的である。
【０００５】
その反対に、音声放送を選局した際に映像を出力するか否か、また出力する場合どの映像を出力するかをユーザが予め設定する手段を有することで、音声放送を選局する毎に煩雑な操作をすることなく、音声情報に加えてユーザの期待する映像情報も同時に得ることができる。
【０００６】
また、ＥＰＧからの情報を元に映像放送の番組と類似した内容の音声放送の番組を検索し、映像放送視聴時に最も類似する内容の音声放送番組の音声を出力するための手段を有することによって、より多くの情報をユーザに提供することができる。
【０００７】
その反対に、ＥＰＧからの情報を元に音声放送の番組と類似した内容の映像放送の番組を検索し、音声放送聴取時に最も類似する内容の映像放送の映像を出力するための手段を有することによって、より多くの情報をユーザに提供することができる。
【課題を解決するための手段】
【０００８】
本発明は、映像放送を選局し該映像放送の映像と音声を出力する映像放送信号受信処理部と、音声放送を選局し該音声放送の音声を出力する音声放送信号受信処理部と、選局した映像放送の映像からなる映像出力に対応した音声出力とする音声として、選局した前記映像放送の音声及び選局可能な音声放送の音声の中から選択する設定をユーザが操作して行うための手段と、該ユーザの設定を記憶する手段と、記憶されたユーザの設定に従って前記映像放送信号受信処理部から出力する前記映像放送の音声又は前記音声放送信号受信処理部で選局して出力する音声放送の音声を選択して音声出力とする手段とを備える映像放送／音声放送受信装置である。
【０００９】
また、本発明は、映像放送を選局し該映像放送の映像と音声を出力する映像放送信号受信処理部と、音声放送を選局し該音声放送の音声を出力する音声放送信号受信処理部と、選局した音声放送の音声からなる音声出力に対応した映像出力とする映像として、選局可能な映像放送の映像の中から選択する設定をユーザが操作して行うための手段と、該ユーザの設定を記憶する手段とを備え、記憶された前記ユーザの設定に従って映像放送を選局して該映像放送の映像を映像出力する映像放送／音声放送受信装置である。
【００１０】
そして、本発明は、上記映像放送のＥＰＧの内容を解析してキーワードを抽出する手段と、上記音声放送のＥＰＧの内容を解析してキーワードを抽出する手段と、抽出したキーワードを番組毎に記憶する手段と、記憶された映像放送番組と音声放送番組のキーワードを比較し映像放送番組又は音声放送番組に類似した音声放送番組又は映像放送番組を検索する手段とを備える映像放送／音声放送受信装置である。
【００１１】
更に、本発明は、映像放送番組と同時刻に放送される音声放送番組の中で最も類似していると判定された番組を記憶する手段と、前記映像放送番組選局時に、最も類似していると判定された前記音声放送番組の音声を音声出力するか否かの設定をユーザが操作して行うための手段と、該ユーザの設定を記憶する手段と、記憶された前記ユーザの設定に従って前記音声放送番組の音声を音声出力し又は音声出力しないよう制御する手段とを備える映像放送／音声放送受信装置である。
【００１２】
また、本発明は、音声放送番組と同時刻に放送される映像放送番組の中で最も類似していると判定された番組を記憶する手段と、前記音声放送番組選局時に、最も類似している判定された前記映像放送番組の映像を映像出力するか否かの設定をユーザが操作して行うための手段と、該ユーザの設定を記憶する手段と、記憶された前記ユーザの設定に従って前記映像放送番組の映像を映像出力し又は映像出力しないよう制御する手段とを備える映像放送／音声放送受信装置である。
【発明の効果】
【００１３】
本発明により、簡単な設定を行うことでユーザが所望する映像チャンネルの映像と音声チャンネルの音声を受信する映像放送／音声放送受信装置を提供することができる。
【発明を実施するための最良の形態】
【００１４】
本発明を実施するための最良の形態を説明する。
図１は、本発明の映像放送／音声放送受信装置の一実施形態である映像表示装置のブロック構成図である。図中１は映像放送信号受信処理部で、映像放送の信号を受信するアンテナ３、受信した信号のうちユーザが設定した放送局の信号を送出するチューナ４、受信信号をデジタル処理するためのＡ／Ｄ変換部５、Ａ／Ｄ変換した信号を解読するデコーダ６を有する。
【００１５】
図中２は音声放送信号受信処理部で、音声放送の信号を受信するアンテナ９、受信した信号のうちユーザが設定した放送局の信号を送出するチューナ１０、受信信号をデジタル処理するためのＡ／Ｄ変換部１１、Ａ／Ｄ変換した信号を解読するデコーダ１２を有する。
【００１６】
デコーダ６で解読された映像放送の映像信号をアナログ変調するＤ／Ａ変換部７と映像出力部８を備える。
【００１７】
操作入力部１６とＣＰＵ１８ａとメモリ１８ｂを有する主制御部１８と操作入力部１６からユーザによって設定された映像放送視聴時の出力音声のルールを記憶する出力音声設定記憶部１７を備える。
【００１８】
デコーダ６で解読された映像放送の音声信号とデコーダ１２で解読された音声放送の音声信号のどちらを音声出力するかを出力音声設定記憶部１７に記憶されたルールに従って制御する出力音声切替制御部１３とアナログ変調するＤ／Ａ変換部１４と音声出力部１５を備える。
【００１９】
ユーザは、映像放送の番組を視聴する際に、音声出力される音声に関して、１つの映像放送チャンネルに対して１つの音声放送チャンネルを設定することにより該当映像放送チャンネル選局時に設定した音声放送チャンネルの音声が音声出力されるチャンネル毎設定と、ＥＰＧを利用して１つの映像放送チャンネルの番組に対して１つの音声放送チャンネルの番組の音声が、もしくは音声放送チャンネルの番組を設定することにより該当映像放送チャンネルの番組を視聴時に設定した音声放送チャンネルまたは音声放送チャンネルの番組の音声が音声出力される番組毎設定とを適宜選択し、設定することができる。
【００２０】
また、図２に示す類似番組検索手順を用いることで映像放送チャンネル視聴時に視聴している番組に内容が類似している音声放送チャンネルの番組の音声を音声出力するように設定できるオート設定がある。
【００２１】
類似番組検索手順の一例について、図２を用いて説明する。まず、ＥＰＧから番組のキーワードを抽出する（ステップＳ１）。ＥＰＧから番組のキーワードを抽出する方法は、キーワードの自動抽出装置及び方法（特許文献３）として提案されている方法などを使用することができる。
【００２２】
次に、映像放送の番組と、その映像放送の番組放映中に放送される音声放送の番組のキーワードを比較し、重複するキーワードをより多く持つ音声放送の番組を記憶する（ステップＳ２）。
【００２３】
ステップＳ２で記憶した重複キーワードを持つ番組が存在するかどうかを判定する（ステップＳ３）。存在すればステップＳ４へ進み、なければステップＳ９へ進む。
【００２４】
重複キーワードが最多の番組が複数存在するかどうかを判定する（ステップＳ４）。存在すればステップＳ５へ進み、なければステップＳ８へ進む。
【００２５】
重複キーワードが最多の音声放送番組のうち、比較した映像放送の番組と重なる放送時間が最長の番組が複数存在するかどうかを判定する（ステップＳ５）。存在すればステップＳ６へ進み、なければステップＳ８へ進む。
【００２６】
放送開始時間が最も早い番組が複数存在するかどうかを判定する（ステップＳ６）。存在すればステップＳ７へ進み、なければステップＳ８へ進む。
【００２７】
放送局の周波数が最小の番組を最も類似性の高い番組として記憶する（ステップＳ７）。周波数でなくてもチャンネル番号など一意に決まる要素ならなんでもよい。又は、該当した番組を最も類似性の高い番組として記憶する（ステップＳ８）。又は、類似した番組なしとして記憶する（ステップＳ９）。そして類似番組検索手順は終了となる。このようにして、類似番組検索方法を行うことができ、特定した類似番組を得ることができ、又は類似番組なしとすることができる。
【００２８】
映像チャンネル選局時の出力音声番組の決定手順の一例について、図３を用いて説明する。まず、映像チャンネルを選局する（ステップＳ１１）。
【００２９】
次に、放映している番組に対し番組毎設定を設定しているかどうか判定する（ステップＳ１２）。設定済みならステップＳ１８へ進み、未設定ならステップＳ１３へ進む。
【００３０】
選局した放送局に対しチャンネル毎設定をしているかどうか判定する（ステップＳ１３）。設定済みならステップＳ１８へ進み、未設定ならステップＳ１４へ進む。
【００３１】
オート設定をしているかどうか判定する（ステップＳ１４）。設定済みならステップＳ１６へ進み、未設定ならステップＳ１５へ進む。
【００３２】
選局した映像チャンネルの音声を出力する（通常視聴状態）（ステップＳ１５）。そして出力音声番組の決定手順は終了となる。
【００３３】
類似番組検索を行い（ステップＳ１６）、ステップＳ１７へ進む。
【００３４】
類似番組が存在するかどうか判定する（ステップＳ１７）。存在すればＳ１８へ進み、なければステップＳ１５へ戻る。
【００３５】
出力すべき音声チャンネルもしくは音声チャンネルの番組の音声を出力する（ステップＳ１８）。そして出力音声番組の決定手順は終了となる。このようにして、映像チャンネル選局時の出力音声番組の決定を行うことができる。
【００３６】
各種設定適用時の詳細な動作について、説明する。
オート設定においては、ＥＰＧより映像チャンネル／音声チャンネルの番組のキーワードを抽出し、それを元に最も類似性の高い番組を検索する。オート設定をＯＮにすると、映像チャンネルの番組を視聴する時に自動的に最も類似性の高い音声チャンネルの番組の音声が音声出力される。映像チャンネルの番組終了前に音声出力されていた音声チャンネルが終了した場合は再度検索を行い、その時点で最も類似性の高い音声チャンネルの番組の音声に音声出力が切り替わる。
【００３７】
個別設定のチャンネル毎設定においては、１つの映像チャンネルに対し１つの音声チャンネルを設定する。該当映像チャンネル選局時に設定された音声チャンネルの音声を音声出力する。
【００３８】
個別設定の番組毎設定においては、１つの映像チャンネルの番組に対し１つの音声チャンネルないし音声チャンネルの番組を設定する。該当映像チャンネルの番組視聴時に設定された音声チャンネルもしくは音声チャンネルの番組の音声を音声出力する。該当番組が終了した後は通常視聴状態に戻る。
【００３９】
なお、映像チャンネルに対する出力音声の設定と同様に、音声チャンネルに対する出力映像も上記設定が可能である。
【図面の簡単な説明】
【００４０】
【図１】本発明を適用した映像放送受信機と音声放送受信機とを併せ持つ機器の概要を示す図である。
【図２】類似番組検索のフローチャートの一例である。
【図３】映像放送受信時の出力音声決定のためのフローチャートの一例である。
【符号の説明】
【００４１】
１  映像放送信号受信処理部
２  音声放送信号受信処理部
３、９  アンテナ
４、１０  チューナ
５、１１  Ａ／Ｄ
６、１２  デコーダ
７、１４  Ｄ／Ａ
８  映像出力
１３  出力音声切替制御
１５  音声出力
１６  操作入力
１７  出力音声設定記憶
１８  主制御部
１８ａ  ＣＰＵ
１８ｂ  メモリ
【図１】
2006005521.tif 000003
【図２】
2006005521.tif 000004
【図３】
2006005521.tif 000005